(57)【要約】【課題】ステープラや接着剤等の固定用材料を一切使用することなく、短時間で容易に組み立て可能な竹製組立式容器の提供。【解決手段】竹製組立式容器は、竹をスライスした単板をその繊維方向が直交するように積層接着した積層板により形成された４枚の側壁板１，２，３，４および１枚の底板５により構成され、４枚の側壁板１〜４は、底板５を嵌めるために形成された凹溝２ａ，４ａと、凹溝２ａ，４ａの形成方向の両端部に他の側壁板１〜４と差し込み合うために凹溝２ａ，４ａと垂直方向に形成された切り欠き１ｂ，２ｂ，３ｂ，４ｂとをそれぞれ備える。【選択図】  図４
2005193948.tif 000002
【特許請求の範囲】
【請求項１】
竹をスライスした単板をその繊維方向が直交するように積層接着した積層板により形成された４枚の側壁板および１枚の底板により構成され、
前記４枚の側壁板は、前記底板を嵌めるために形成された凹溝と、同凹溝の形成方向の両端部に他の側壁板と差し込み合うために前記凹溝と垂直方向に形成された切り欠きとをそれぞれ備えた竹製組立式容器。
【請求項２】
前記側壁板の最も外側の単板の繊維方向が、前記凹溝の形成方向と同じ方向である請求項１記載の竹製組立式容器。
【請求項３】
前記側壁板の端面と前記切り欠きとの距離が、５ｍｍ以上である請求項１または２に記載の竹製組立式容器。
【請求項４】
前記凹溝は、前記側壁板の一方の端面から他方の端面まで形成されたものである請求項１から３のいずれかに記載の竹製組立式容器。
【請求項５】
竹をスライスした単板をその繊維方向が直交するように積層接着した積層板により形成された４枚の側壁板および１枚の底板と、この底板上に配置した冷凍食品とからなり、
前記４枚の側壁板は、前記底板を嵌めるために形成された凹溝と、同凹溝の形成方向の両端部に他の側壁板と差し込み合うために前記凹溝と垂直方向に形成された切り欠きとをそれぞれ備え、
前記４枚の側壁板は、前記底板の前記冷凍食品を配置した面と反対側の面に配置した
ことを特徴とする竹製組立式容器をセットにした冷凍食品パッケージ。
【発明の詳細な説明】
【技術分野】
【０００１】
本発明は、竹を素材とした竹製組立式容器およびこれをセットにした冷凍食品パッケージに関する。
【背景技術】
【０００２】
従来、弁当や寿司などの食品を包装する容器としては、薄い帯状の板材を折り曲げて枠体を形成し、これに底板を接合した折箱が主流である（例えば、特許文献１，２参照。）。また、環境保護の観点から、本発明者は、一旦伐採しても比較的短期間で再生可能な天然素材の一つである竹を用いた様々な包装用容器を開発しているが（例えば、特許文献３参照。）、このような竹を素材とした折箱の開発もなされている（例えば、特許文献４参照）。
【０００３】
特許文献４の竹製折箱は、竹をスライスした単板を、その繊維方向が直交するように積層接着して積層板とし、この積層板を材料として形成した折箱である。より詳しくは、この折箱は、厚肉の積層板の下部内側に底板が嵌る凹溝を設け、薄肉の積層板の前よりに縦方向の凹溝を設け、積層板の端面に接着剤を塗り、凹溝に底板を嵌めながら積層板の端部をあてがい竹釘を打ち、積層板の凹溝に仕切り板を差し込んで形成する。
【０００４】
【特許文献１】特開２００３−３４１６５４号公報
【特許文献２】特開２００２−１２８０６２号公報
【特許文献３】特開平１０−６３０８号公報
【特許文献４】特開平１１−３１４６３６号公報
【発明の開示】
【発明が解決しようとする課題】
【０００５】
ところが、上記従来の折箱では、帯状の板材を折り曲げて環状の枠体を形成する際、環を形成するために少なくとも一ヶ所はステープラや接着剤等を使用して固定する必要がある。また、特許文献４に記載の竹製折箱では、４枚の積層板の端を接合して環状の枠体を形成するために、積層板の端部に固定用材料として竹釘を打ち込んで固定している。
【０００６】
このように従来の折箱では、必ずステープラや接着剤等の固定用材料を使用して折箱を形成するため、その分の材料費が嵩むことになる。また、これらの固定用材料を使用する工程が存在するため、折箱の組み立てに余計に時間が掛かるという問題がある。
【０００７】
そこで、本発明においては、ステープラや接着剤等の固定用材料を一切使用することなく、短時間で容易に組み立て可能な竹製組立式容器を提供するとともに、これをセットにした冷凍食品パッケージを提供することを目的とする。
【課題を解決するための手段】
【０００８】
本発明の竹製組立式容器は、竹をスライスした単板をその繊維方向が直交するように積層接着した積層板により形成された４枚の側壁板および１枚の底板により構成され、４枚の側壁板は、底板を嵌めるために形成された凹溝と、凹溝の形成方向の両端部に他の側壁板と差し込み合うために凹溝と垂直方向に形成された切り欠きとをそれぞれ備えたものである。
【０００９】
本発明の竹製組立式容器によれば、４枚の側壁板をそれぞれの切り欠きにより互いに差し込み合うことで枠体が形成される。このとき、４枚の側壁板をそれぞれの凹溝が内側となるように差し込み合うことで、それぞれの凹溝により底板が保持される。また、本発明に係る側壁板は、竹をスライスした単板をその繊維方向が直交するように積層接着したものであるため、曲げに対して非常に強く、枠体の凹溝に底板を嵌め込む際、側壁板の１枚を撓ませて嵌め込むことができる。
【００１０】
ここで、側壁板の最も外側の単板の繊維方向は、凹溝の形成方向と同じ方向とするのが望ましい。枠体の凹溝に底板を嵌め込む際、側壁板の１枚を凹溝の形成方向に湾曲させるので、この側壁板の最も外側の単板に最も大きな曲げ力が加わるが、この最も外側の単板の繊維方向が凹溝の形成方向と同じ方向であれば、この最も外側の単板によりこの最も大きな曲げ力を受けることができる。
【００１１】
また、側壁板の端面と切り欠きとの距離は、５ｍｍ以上とするのが望ましい。５ｍｍ以上とすることで、枠体の側壁板の１枚を凹溝の形成方向に湾曲させて底板を嵌め込む際、曲げ力によって切り欠き形成部に働く力を充分に受けることができる。５ｍｍ未満では、側壁板に切り欠きを形成する際、割れてしまう可能性がある。
【００１２】
側壁板に形成される凹溝は、底板を嵌める部分にのみさえ形成すれば、その底板保持機能を発揮することができるが、この凹溝は、側壁板の一方の端面から他方の端面まで形成されたものであることが望ましい。これにより、凹溝を側壁板の一方の端面から他方の端面まで一様に形成することができる。
【００１３】
また、上記本発明の竹製組立式容器をセットにした冷凍食品パッケージは、竹をスライスした単板をその繊維方向が直交するように積層接着した積層板により形成された４枚の側壁板および１枚の底板と、この底板上に配置した冷凍食品とからなり、４枚の側壁板は、底板を嵌めるために形成された凹溝と、凹溝の形成方向の両端部に他の側壁板と差し込み合うために凹溝と垂直方向に形成された切り欠きとをそれぞれ備え、４枚の側壁板は、底板の冷凍食品を配置した面と反対側の面に配置したことを特徴とするものである。
【００１４】
本発明の竹製組立式容器をセットにした冷凍食品パッケージでは、輸送時の体積が、底板と、この底板の両面に配置した冷凍食品と４枚の側壁板のみとなる。また、冷凍食品の陳列時には、前述のように４枚の側壁板と底板とを組み立てることで竹製組立式容器として、この竹製組立式容器内に冷凍食品を収容しておくことができる。
【発明の効果】
【００１５】
（１）竹をスライスした単板をその繊維方向が直交するように積層接着した積層板により形成された４枚の側壁板および１枚の底板により構成され、４枚の側壁板は、底板を嵌めるために形成された凹溝と、凹溝の形成方向の両端部に他の側壁板と差し込み合うために凹溝と垂直方向に形成された切り欠きとをそれぞれ備えた竹製組立式容器によれば、４枚の側壁板をそれぞれの切り欠きにより互いに差し込み合うことで枠体が形成され、４枚の側壁板のそれぞれの凹溝により底板が保持されるため、ステープラや接着剤等の固定用材料を一切使用することなく、短時間で容易に組み立てることが可能である。これにより、本発明の竹製組立式容器は、竹をスライスした単板をその繊維方向が直交するように積層接着した積層板により形成された４枚の側壁板および１枚の底板のみから構成され、側壁板および底板のそれぞれは切り欠きおよび凹溝を形成しただけであるため、製造コストを低く抑えることが容易であり、低廉な竹製組立式容器とすることができる。また、本発明の竹製組立式容器は、竹をスライスした単板をその繊維方向が直交するように積層接着したものであるため、曲げに対して非常に強く、枠体の凹溝に底板を嵌め込む際、側壁板の１枚を撓ませて嵌め込むことができることに加え、この使用時も衝撃に対して非常に強い竹製組立式容器となる。さらに、逆の手順により容易に解体することができるため、不使用時には解体して、竹製組立式容器をコンパクトに保管することが可能となる。また、廃棄時には解体することにより、嵩張らずに廃棄することが可能となる。
【００１６】
（２）側壁板の最も外側の単板の繊維方向が、凹溝の形成方向と同じ方向であることにより、枠体の凹溝に底板を嵌め込む際に、側壁板の最も外側の単板に加わる最も大きな曲げ力を受けることができ、側壁板の最も外側の単板の剥がれによる損傷を防止することができる。
【００１７】
（３）側壁板の端面と前記切り欠きとの距離が、５ｍｍ以上であることにより、枠体の凹溝に底板を嵌め込む際に、切り欠き形成部に働く力を充分に受けることができ、切り欠き形成部の割れによる損傷を防止することができる。
【００１８】
（４）凹溝は、側壁板の一方の端面から他方の端面まで形成されたものであることにより、凹溝を側壁板の一方の端面から他方の端面まで一様に形成することができ、凹溝の形成を容易にして製造コストを低くし、より低廉な竹製組立式容器とすることができる。
【００１９】
（５）４枚の側壁板を、底板の冷凍食品を配置した面と反対側の面に配置してセットにしたことにより、輸送時の体積が、底板と、この底板の両面に配置した冷凍食品と４枚の側壁板のみとなるため、予め容器内に冷凍食品を収容した従来の輸送方法と比較して、容器と冷凍食品との間の隙間の分だけ輸送時の体積を減らすことができる。これにより、輸送時の輸送コストを下げることができる。また、４枚の側壁板を底板の一方の面に配置しているため、真空パックにしても容器が潰れてしまうということがなく、冷凍食品とともに真空パックすることで、より冷凍食品を日持ちさせることが可能となる。
【発明を実施するための最良の形態】
【００２０】
図１は本発明の実施の形態における竹製組立式容器の斜視図、図２は図１の竹製組立式容器を解体した状態を示す平面図である。図１および図２に示すように、本発明の実施の形態における竹製組立式容器は、竹製の積層板によりそれぞれ形成された４枚の側壁板１，２，３，４および１枚の底板５により構成される。
【００２１】
図３は竹製の積層板の積層構造を示す図である。図３に示すように、竹製の積層板は、竹をスライスした単板１１，１２，１３，１４，１５，１６をその繊維方向Ｆが互いに直交するように積層して、自然素材である澱粉糊で貼り合わせ、接着したものである。なお、図３の例では、６枚の単板１１〜１６を積層したものであるが、積層枚数は２枚以上であれば何枚でも構わない。また、３枚以上の場合、最も外側の単板１１，１６の繊維方向Ｆは同一方向とするのが望ましい。
【００２２】
単板１１〜１６は以下の工程により製造する。まず、約４０ｃｍの長さに切断した竹材を、蒸気窯中で煮沸して軟化処理してから、一定厚さでピーリングし、一定長さごとに裁断する。取り出された薄板材は、竹材の繊維方向Ｆと平行にスライスされたものとなる。薄板材は取り出した後、乾燥させ、プレスで厚さ方向に加圧する。そして、薄板材を繊維方向Ｆに対して辺が平行および垂直になるような長方形に裁断して単板１１〜１６とする。
【００２３】
竹材としては、肉厚が１０ｍｍ以上のものであれば、スライスされた薄板材をまとめて取り出すことができる。特に中国産の孟宗竹は肉厚が１０〜２０ｍｍ程度と厚く、多くの薄板材を取り出すことができるので最も適している。ただし、竹材の表皮は、機械的性質がその他の部分と大きく異なるので、使用しないようにする。
【００２４】
このような積層板をカットすることにより、図２に示すような側壁板１〜４および底板５を形成する。なお、側壁板１〜４および底板５は、最も外側の単板１１，１６の繊維方向Ｆがそれぞれの長手方向となるようにする。
【００２５】
側壁板１〜４には、それぞれ底板５を嵌めるための凹溝１ａ，２ａ，３ａ，４ａが形成されている。凹溝１ａ，２ａ，３ａ，４ａは、側壁板１〜４のそれぞれの長手方向、すなわち、それぞれの最も外側の単板１１，１６の繊維方向Ｆに形成されている。また、本実施形態においては、凹溝１ａ，２ａ，３ａ，４ａは、側壁板１〜４の一方の端面（図２の上下の端面）から他方の端面まで形成されている。
【００２６】
また、側壁板１〜４の長手方向の両端部には、それぞれの端面から約６ｍｍの位置に切り欠き１ｂ，２ｂ，３ｂ，４ｂが形成されている。側壁板１，２の切り欠き１ｂ，２ｂは、側壁板３，４の切り欠き３ｂ，４ｂと差し込み合うためのものである。
【００２７】
なお、側壁板１，２の切り欠き１ｂ，２ｂと側壁板３，４の切り欠き３ｂ，４ｂとを差し込み合った際、凹溝１ａ，２ａ，３ａ，４ａが１つの環となるように、側壁板１，２の切り欠き１ｂ，２ｂは凹溝１ａ，２ａと交差する位置に形成され、側壁板３，４の切り欠き３ｂ，４ｂは凹溝３ａ，４ａと交差しない位置に形成されている。また、切り欠き１ｂ，２ｂ，３ｂ，４ｂは、側壁板１〜４のそれぞれの端面（図２の左の端面）から中心まで形成されている。
【００２８】
上記構成の側壁板１〜４および底板５により本実施形態における竹製組立式容器を組み立てる手順について図４を参照して説明する。図４は本実施形態における竹製組立式容器の組み立て手順を示す図である。
【００２９】
まず、図４（ａ）に示すように、竹製組立式容器の枠体６の長辺を構成する２枚の側壁板３，４を、それぞれの凹溝３ａ，４ａが向かい合い、かつそれぞれの切り欠き３ｂ，４ｂが上向きとなるように配置する。そして、枠体６の短辺を構成する１枚目の側壁板２を、その切り欠き２ｂが側壁板３，４の一方の切り欠き３ｂ，４ｂと差し込み合うように組み付ける。このとき、凹溝２ａが枠体６の内側となるようにする。
【００３０】
次に、図４（ｂ）に示すように、枠体６の短辺を構成する２枚目の側壁板１を、その切り欠きが側壁板３，４のもう一方の切り欠き３ｂ，４ｂと差し込み合うように組み付ける。このとき、凹溝１ａが枠体６の内側となるようにする。そして、側壁板１が側壁板３，４の凹溝３ａ，４ａを塞ぐ直前で、図４（ｃ）に示すように、底板５を凹溝３ａ，４ａに嵌め込む。
【００３１】
さらに、底板５を凹溝３ａ，４ａの奥まで嵌め込み、側壁板２の凹溝２ａに達した時点で、側壁板１を外側に湾曲させ、この側壁板１の凹溝１ａに底板５を嵌め込む。これにより、図１に示す竹製組立式容器が完成する。この竹製組立式容器の解体は、上記手順と逆の手順により行うことができる。したがって、不使用時には解体して、竹製組立式容器をコンパクトに保管することが可能である。
【００３２】
以上のように、本実施形態における竹製組立式容器では、４枚の側壁板１〜４をそれぞれの切り欠き１ｂ，２ｂ，３ｂ，４ｂにより互いに差し込み合うことで枠体６が形成され、４枚の側壁板１〜４のそれぞれの凹溝１ａ，２ａ，３ａ，４ａにより底板５が保持されるため、ステープラや接着剤等の固定用材料を一切使用することなく、短時間で容易に組み立てることが可能である。
【００３３】
また、本実施形態における竹製組立式容器は、竹製の積層板により形成された４枚の側壁板１〜４および１枚の底板５のみから構成され、側壁板１〜４および底板５のそれぞれは切り欠き１ｂ，２ｂ，３ｂ，４ｂおよび凹溝１ａ，２ａ，３ａ，４ａを形成しただけであるため、製造コストを低く抑えることが容易であり、低廉な竹製組立式容器とすることができる。
【００３４】
また、本実施形態における竹製組立式容器は、竹をスライスした単板１１〜１６をその繊維方向Ｆが互いに直交するように積層接着したものであるため、曲げに対して非常に強い。これにより、側壁板１の凹溝１ａに底板５を嵌め込む際、この側壁板１を撓ませて嵌め込むことができることに加え、使用時に衝撃に対して非常に強い竹製組立式容器となる。
【００３５】
また、側壁板１〜４の最も外側の単板１１，１６の繊維方向Ｆが、凹溝１ａ，２ａ，３ａ，４ａの形成方向と同じ方向であることにより、側壁板１の凹溝１ａに底板５を嵌め込む際に、側壁板１の最も外側の単板１１，１６に加わる最も大きな曲げ力を受けることができる。これにより、側壁板１の最も外側の単板１１，１６の剥がれによる損傷を防止することができる。
【００３６】
また、側壁板１〜４の端面と切り欠き１ｂ，２ｂ，３ｂ，４ｂとの距離が、５ｍｍ以上であることにより、切り欠き１ｂ，２ｂ，３ｂ，４ｂ形成時に割れることがない。また、枠体６の凹溝１ａ，２ａ，３ａ，４ａに底板５を嵌め込む際に、切り欠き１ｂ，２ｂ，３ｂ，４ｂの形成部に働く力を充分に受けることができ、切り欠き１ｂ，２ｂ，３ｂ，４ｂの形成部の割れによる損傷を防止することができる。
【００３７】
また、凹溝１ａ，２ａ，３ａ，４ａは、側壁板１〜４の一方の端面から他方の端面まで形成されたものであることにより、凹溝１ａ，２ａ，３ａ，４ａ形成時に、凹溝１ａ，２ａ，３ａ，４ａを側壁板１〜４の一方の端面から他方の端面まで一様に形成することができ、凹溝１ａ，２ａ，３ａ，４ａの形成を容易にして製造コストを低くし、より低廉な竹製組立式容器とすることができる。
【００３８】
次に、上記本実施形態における竹製組立式容器をセットにした冷凍食品パッケージについて説明する。図５は本実施形態における竹製組立式容器をセットにした冷凍食品パッケージの側面図、図６は図５の下面図である。
【００３９】
本実施形態における竹製組立式容器をセットにした冷凍食品パッケージは、図５および図６に示すように、竹製組立式容器を構成する４枚の側壁板１〜４と底板５を冷凍食品としての寿司７とセットにしたものである。寿司７は底板５の上面に配置し、４枚の側壁板１〜４は底板５の下面に配置する。また、図示していないが、これらはまとめてラップにより真空包装し、−６５℃で冷凍している。
【００４０】
このように、本実施形態における竹製組立式容器をセットにした冷凍食品パッケージでは、４枚の側壁板１〜４を、底板５の寿司７を配置した面と反対側の面に配置してセットにしたことにより、輸送時の体積が、底板５と、この底板５の両面に配置した寿司７と４枚の側壁板１〜４のみとなるため、予め容器内に冷凍食品を収容した従来の輸送方法と比較して、容器と冷凍食品との間の隙間の分だけ輸送時の体積を減らすことができる。これにより、輸送時の輸送コストを下げることができる。
【００４１】
また、従来のように予め容器内に冷凍食品を収容した状態では真空パックにすると容器が潰れてしまうが、本実施形態における竹製組立式容器では、４枚の側壁板を底板の一方の面に配置しているため、真空パックにしても容器が潰れてしまうということがない。そのため、寿司７とともに４枚の側壁板１〜４と底板５とを真空パックして冷凍することで、より冷凍食品を日持ちさせることが可能である。
【００４２】
また、このような冷凍食品パッケージでは、冷凍食品の陳列時には、前述のように４枚の側壁板１〜４と底板５とを組み立てることで竹製組立式容器として、この竹製組立式容器内に冷凍食品を収容しておくことができる。また、使用後は、容易に解体できるため、嵩張らずに廃棄することが可能である。
【産業上の利用可能性】
【００４３】
本発明の竹製組立式容器は、弁当や寿司などの食品を包装する組立式の容器として有用である。
【図面の簡単な説明】
【００４４】
【図１】本発明の実施の形態における竹製組立式容器の斜視図である。
【図２】図１の竹製組立式容器を解体した状態を示す平面図である。
【図３】竹製の積層板の積層構造を示す図である。
【図４】本実施形態における竹製組立式容器の組み立て手順を示す図である。
【図５】本実施形態における竹製組立式容器をセットにした冷凍食品パッケージの側面図である。
【図６】図５の下面図である。
【符号の説明】
【００４５】
１，２，３，４  側壁板
１ａ，２ａ，３ａ，４ａ  凹溝
１ｂ，２ｂ，３ｂ，４ｂ  切り欠き
５  底板
６  枠体
７  寿司
【図１】
2005193948.tif 000003
【図２】
2005193948.tif 000004
【図３】
2005193948.tif 000005
【図４】
2005193948.tif 000006
【図５】
2005193948.tif 000007
【図６】
2005193948.tif 000008